(57)【要約】【課題】パソコン本体の設置箇所に拘わらず同じ設定を利用でき、また、周辺機器との位置関係を利用して、パソコン本体が盗難に遭った場合に、パソコン本体に装備されたハードディスク等の記憶メディアに記憶されている情報の漏洩を防止することができるパソコン盗難対策システムを提供する。【解決手段】マウス装置１とパソコン本体２とにＧＰＳ機能を設け、マウス装置１からパソコン本体２にマウス装置１の位置情報を送信し、マウス装置１の位置情報とパソコン本体２の位置情報とから双方の離間距離を算出し、この離間距離が設定された許容離間距離以上に離れた場合に、パソコン本体２に装備されているハードディスク３の動作をロックする。離間距離に拘わらずハードディスク３の動作をロックする機能やロックされた状態を解除する機能も設ける。【選択図】      図１
2012053815.tif 000002
【特許請求の範囲】
【請求項１】
パソコン本体とその周辺機器のそれぞれに自身の位置情報を取得するＧＰＳ機能を持たせて前記パソコン本体の盗難に対応するパソコン盗難対策システムであって、
前記周辺機器は、
自身のＧＰＳ機能を利用して得られる当該周辺機器の位置情報を発信する周辺機器位置情報発信手段を備え、
前記パソコン本体は、
前記周辺機器位置情報送信手段によって発信された前記周辺機器の位置情報と自身のＧＰＳ機能を利用して得られた当該パソコン本体の位置情報とから、前記周辺機器と当該パソコン本体との離間距離を算出する離間距離算出手段と、
前記離間距離算出手段により算出された離間距離が予め設定された許容離間距離以上に離れた場合に、当該パソコン本体に装備されている記憶メディアの動作をロックするロック手段と、
を具備することを特徴とするパソコン盗難対策システム。
【請求項２】
前記周辺機器は、前記記憶メディアの動作の強制ロックを指令する強制ロック指令手段を更に備え、
前記ロック手段は、前記強制ロック指令手段からの指令により前記離間距離に拘わらず前記記憶メディアの動作をロックする強制ロック手段を更に有することを特徴とする請求項１記載のパソコン盗難対策システム。
【請求項３】
前記記憶メディアは、ハードディスクであり、前記ロック手段による前記記憶メディアの動作のロックは、前記記憶メディアの磁気ディスクを回転させるスピンドルモータ、又は、前記記憶メディアの磁気ヘッドを駆動するステッピングモータを停止させるものであることを特徴とする請求項１又は２記載のパソコン盗難対策システム。
【請求項４】
前記周辺機器は、前記ロック手段によりロックされた前記記憶メディアのロックの解除を指令するロック解除指令手段を更に備え、
前記パソコン本体は、前記ロック解除指令手段からの指令により前記記憶メディアのロックを解除するロック解除手段を更に具備することを特徴とする請求項１乃至３のいずれかに記載のパソコン盗難対策システム。
【請求項５】
前記パソコン本体には、自身のＧＰＳ機能を利用して得られた当該パソコン本体の位置情報を発信するパソコン本体位置情報発信手段を更に具備することを特徴とする請求項１記載のパソコン盗難対策システム。
【請求項６】
前記周辺機器はマウス装置であることを特徴とする請求項１乃至５のいずれかに記載のパソコン盗難対策システム。
【発明の詳細な説明】
【技術分野】
【０００１】
本発明は、パソコン本体が盗難にあった場合に利用可能なパソコン盗難対策システムに関する。より具体的には、周辺機器やパソコン本体にＧＰＳ（Global Positioning System）機能を持たせて、これを利用して情報漏洩等の対策を図ったものである。
【背景技術】
【０００２】
パソコンの盗難件数は、２００５年の統計によると、全世界で７５万台とも言われ、現在でも増加傾向にある。盗難に対する対策としては、いろいろと考えられているが、パソコンが盗難された場合には、企業秘密や個人情報の流出などの大きな問題が発生することが予想される。
【０００３】
そこで、従来においては、ＰＣの電源が投入され、システムが起動する際に、ＢＩＯＳメモリ内のプログラムに従って、ＧＰＳ受信回路で取得した位置情報をＬＡＮデバイスよりインターネットを介して所有者へ電子メールで通知して、ＰＣが紛失、盗難に遭った場合でも、確実にＰＣの所在を確認できるようにした構成（特許文献１参照）や、
ＧＰＳの電波を受信して現在の時刻情報および位置情報を取得する時刻位置情報取得部と、予め設定された使用可能な時刻情報および位置情報を設定する設定部と、時刻位置情報取得部で取得した時刻情報および位置情報と、設定部で設定された時刻情報および位置情報とを比較して異常を判定する時刻位置情報判定部とを備えて盗難を防止するようにした構成（特許文献２参照）、
パソコンに、現在位置を測位するＧＰＳ受信装置と、現在位置と予め設定しておいた配置許可領域（パソコンを使用しようする者が持ち歩き得る範囲を想定して設定）とを照合する位置照合手段と、位置照合手段により現在位置が前記配置許可領域内でないと判断された場合に、情報の漏洩を防止するための緊急措置を実行する緊急措置実行手段（データの消去、外部入力の無効化を行う手段）とを設け、パソコンが盗難等に合ったとき、ＧＰＳ受信装置による位置情報に基づいてパソコンが自ら情報漏洩防止のための緊急措置を実行し、重要機密に関わる情報の漏洩を確実に防止することができるようにした構成（特許文献３参照）、
等が考えられている。      
【先行技術文献】
【特許文献】
【０００４】
【特許文献１】特開２００７−０９４９０８号公報
【特許文献２】特開２００６-６５３７７号公報
【特許文献３】特開２００３-２４２０４１号公報
【発明の概要】
【発明が解決しようとする課題】
【０００５】
しかしながら、上述した特許文献１及び２に示されるＧＰＳを利用した盗難対策においては、盗難されたパソコン本体の所在を正確に得ることは可能であるが、パソコン本体に装備されたハードディスク等の記憶メディアに記憶されている情報の漏洩に対処することができない不都合がある。
【０００６】
この点、特許文献３では、情報漏洩に対する対策となり得るが、位置照合手段により現在位置が配置許可領域内であるか否かを判定させるものであるため、パソコンの設置箇所が変われば配置許可領域を設定し直す必要があり、むやみにパソコンの設置箇所を変更することができない不都合がある。
【０００７】
また、盗難時においては、パソコン本体のみが盗難され、マウス等の周辺機器は残される場合が多い。このため、パソコン本体と残された周辺機器との位置関係を利用することができれば、盗難時に適切な対応が可能となる。
【０００８】
本発明は、係る事情に鑑みてなされたものであり、パソコン本体の設置箇所に拘わらず同じ設定を利用でき、また、周辺機器との位置関係を利用して、パソコン本体が盗難に遭った場合に、パソコン本体に装備されたハードディスク等の記憶メディアに記憶されている情報の漏洩を防止することが可能なパソコン盗難対策システムを提供することを主たる課題としている。
【課題を解決するための手段】
【０００９】
上記課題を達成するために、本発明に係るパソコン盗難対策システムは、パソコン本体とその周辺機器のそれぞれに自身の位置情報を取得するＧＰＳ機能を持たせて前記パソコン本体の盗難に対応するパソコン盗難対策システムであって、前記周辺機器は、自身のＧＰＳ機能を利用して得られる当該周辺機器の位置情報を発信する周辺機器位置情報発信手段を備え、前記パソコン本体は、前記周辺機器位置情報送信手段によって発信された前記周辺機器の位置情報と自身のＧＰＳ機能を利用して得られた当該パソコン本体の位置情報とから、前記周辺機器と当該パソコン本体との離間距離を算出する離間距離算出手段と、  前記離間距離算出手段により算出された離間距離が予め設定された許容離間距離以上に離れた場合に、当該パソコン本体に装備されている記憶メディアの動作をロックするロック手段と、を具備することを特徴としている。
ここで、前記周辺機器としては、マウス装置以外のキーボード等であってもよいが、ＧＰＳ機能を持たせて他の用途にも利用できる携帯性に優れたマウス装置を用いることが好ましい。
【００１０】
したがって、離間距離算出手段によって算出された周辺機器と当該パソコン本体との離間距離が、予め設定された許容離間距離以上に離れた場合に、ロック手段によってパソコン本体に装備されている記憶メディアの動作がロックされるので、パソコン本体をどこに移動させても同じ条件で盗難対策を講じることが可能となり、パソコン本体の設置箇所に依存することなく情報漏洩を確実に防ぐことが可能となる。
【００１１】
また、前記周辺機器は、前記記憶メディアの動作の強制ロックを指令する強制ロック指令手段を更に備え、前記ロック手段は、前記強制ロック指令手段からの指令により前記離間距離に拘わらず前記記憶メディアの動作をロックする強制ロック手段を更に有するようにしてもよい。
【００１２】
このような構成を持たせることで、パソコン本体が盗難にあったことが判明した場合に、周辺機器に設けられた強制ロック指令手段を操作して記憶メディアの動作の強制ロックを指令することで、強制ロック手段によりパソコン本体と周辺機器との離間距離に拘わらず記憶メディアの動作をロックさせることが可能となる。
【００１３】
ここで、記憶メディアは、ハードディスクであり、ロック手段による記憶メディアの動作のロックは、記憶メディアの磁気ディスクを回転させるスピンドルモータ、又は、記憶メディアの磁気ヘッドを駆動するステッピングモータを停止させるものであってもよい。
【００１４】
また、周辺機器は、前記ロック手段によりロックされた前記記憶メディアのロックの解除を指令するロック解除指令手段を更に備え、前記パソコン本体は、前記ロック解除指令手段からの指令により前記記憶メディアのロックを解除するロック解除手段を更に具備するようにするとよい。
【００１５】
このような構成を持たせることで、パソコン本体と周辺機器との離間距離が許容離間距離以上となって記憶メディアの動作がロックされた場合や、強制ロック手段により記憶メディアの動作がロックした場合に、ロック解除手段によって記憶メディアのロックを解除することができるので、盗難に遭ったパソコン本体が回収された後に記憶メディア内の情報を再び利用することが可能となる。
【００１６】
また、盗難されたパソコン本体の場所を特定し易くするために、前記パソコン本体に、自身のＧＰＳ機能を利用して得られた当該パソコン本体の位置情報を発信するパソコン本体位置情報発信手段を更に具備するようにしてもよい。
【発明の効果】
【００１７】
以上述べたように、本発明によれば、周辺機器のＧＰＳ機能を利用して得られる当該周辺機器の位置情報と、パソコン本体のＧＰＳ機能を利用して得られる当該パソコン本体の位置情報とから周辺機器とパソコン本体との離隔距離を算出し、この離隔距離が予め設定された許容離間距離以上に離れた場合に、パソコン本体に装備されている記憶メディアの動作がロックされるので、パソコン本体をどこに設置した場合でも、設定を変えることなく同じ条件でパソコン本体の盗難に対応でき、情報漏洩を確実に防ぐことが可能となる。
【００１８】
また、周辺機器に記憶メディアの動作のロックを指令する強制ロック指令手段を更に設け、この強制ロック指令手段からの指令により離間距離に係わらず記憶メディアの動作を強制ロックさせることで、パソコン本体が盗難にあったことが判明した場合に、パソコン本体と周辺機器との離間距離に拘わらず記憶メディアの動作をロックさせることが可能となり、情報漏洩に対する対策をいち早く採ることが可能となる。
【００１９】
さらに、周辺機器にロック手段によりロックされた記憶メディアのロックの解除を指令するロック解除指令手段を更に設け、このロック解除指令手段からの指令により記憶メディアの動作のロックを解除することで、盗難に遭ったパソコン本体が回収された後に記憶メディア内の情報を再利用することが可能となる。
【００２０】
さらにまた、パソコン本体に、自身のＧＰＳ機能を利用して得られた当該パソコン本体の位置情報を発信するパソコン本体位置情報発信手段を設けることで、盗難に遭ったパソコン本体の場所を特定することが容易となる。
【図面の簡単な説明】
【００２１】
【図１】図１は、本発明に係るパソコン盗難対策システムの構成例を示すブロックダイヤグラムである。
【図２】図２（ａ）は、本発明で用いる周辺機器としてのマウス装置を示す概観図であり、図２（ｂ）は、本発明で用いられる記憶メディアとしてのハードディスクを示す概観図である。
【図３】図３は、本発明に係るパソコン盗難対策システムの離隔距離の設定動作例を示すフローチャートである。
【図４】図４は、本発明に係るパソコン盗難対策システムの制御動作例を示すフローチャートである。
【発明を実施するための最良の形態】
【００２２】
以下、本発明に係るパソコン盗難対策システムの実施形態を添付図面を参照しながら説明する。
【００２３】
図１において、本発明に係るパソコン盗難対策システムの構成例がブロックダイヤグラムとして示されている。ここでは、周辺機器としてマウス装置１を用い、パソコン本体２の記憶メディアとして内蔵型のハードディスク３を用いた場合について説明する。
【００２４】
マウス装置１は、手持ち式であり、面上を移動させることにより図示しないディスプレイの画面上のカーソルを移動させたり、ボタンを操作することでコンピュータ本体にコマンドを送信したりする等の本来のポインティングデバイスとしての機能を有するマウス機能部１１と、ＧＰＳ衛星からの情報をアンテナ１２を介して受信して自己の位置情報を取得する（無線通信機能を利用してサーバからＧＰＳ衛星に関する情報などを受信して自己の位置情報を取得する場合や、無線通信機能を利用してサーバから自己の位置情報を受信して取得する場合を含む）ＧＰＳ機能を備えたＧＰＳ機能部１３と、パソコン本体２との無線通信を行う送受信部１４と、ＧＰＳ機能部１３で取得された位置情報を送出すると共に、後述する強制ロックボタン１０４の押下を判定して強制ロックの指令信号（強制ロック指令信号）を送出する機能、ロック解除ボタン１０５の押下を判定してロックを解除する指令信号（ロック解除指令信号）を送出する機能を備えた通信制御部１５とを有し、送受信部１４を介して、マウス装置１の位置情報や強制ロック指令信号、ロック解除指令信号が発信されるようになっている。
【００２５】
このマウス装置１は、その表面に、図２（ａ）に示されるように、右クリック又は左クリックするためのクリックボタン１０１，１０２や、クリック及び回転させるホイールクリックボタン１０３等の通常のボタンの他に、パソコン本体２のハードディスク３の動作の強制ロックを指令する強制ロックボタン１０４と、ハードディスク３の動作のロックを解除するロック解除ボタン１０５とが設けられている。これらの強制ロックボタン１０４とロック解除ボタン１０５は、マウス使用時の邪魔にならないように、例えば、クリックボタン１０１，１０２の脇（マウス装置１の側面）に設けるようにするとよい。
【００２６】
これに対して、パソコン本体２は、ＣＰＵ，ＲＯＭ，ＲＡＭ等を備えた通常の情報処理端末としての機能の他に、ＧＰＳ衛星からの情報をアンテナ２１を介して受信して自己の位置情報を取得する（無線通信機能を利用してサーバからＧＰＳ衛星に関する情報などを受信して自己の位置情報を取得する場合や、無線通信機能を利用してサーバから自己の位置情報を受信して取得する場合を含む）ＧＰＳ機能を備えたＧＰＳ機能部２２と、前記マウス装置１との無線通信を行う送受信部２３と、ＧＰＳ機能部２２で取得された位置情報を後述する判定部２５に送出すると共に、送受信部２３で受信されたマウス装置１の位置情報や、強制ロック及びロック解除の指令信号を判定部２５に送出する通信制御部２４と、マウス装置１とパソコン本体２との許容離隔距離を０ｍ〜無限大の範囲で設定する許容離隔距離設定部２６と、マウス装置１の位置情報とパソコン本体２の位置情報とから両者の離隔距離を算出し、その離隔距離を設定された許容離隔距離と比較すると共に、強制ロック指令やロック解除指令の有無を判定する判定部２５と、判定部２５の判定結果に基づき、ハードディスク３の駆動部３０を制御するハードディスク制御部２７とを有している。尚、パソコン本体２も、前記送受信部２３を介してパソコン本体２の位置情報が発信されるようになっている。
【００２７】
ここで、ハードディスク３は、図２（ｂ）に示されるように、スピンドルモータ３０１により回転する磁気ディスク３０２と、ステッピングモータ３０３により磁気ディスク３０２の表面上を径方向に移動させる磁気ヘッド３０４とを備えたそれ自体周知のもので、前記駆動部３０は、スピンドルモータ３０１やステッピングモータ３０３に相当する。
【００２８】
図３及び図４に上述したマウス装置１とパソコン本体２とを用いた盗難対策制御の動作例がフローチャートとして示され、以下、このフローチャートに基づき制御動作例を説明すると、まず、図３に示されるように、パソコン本体２において、マウス装置１とパソコン本体２との許容離隔距離の設定値を、０ｍ〜∞ｍの範囲で数値入力等によって入力し（ステップ４０）、その入力された許容離隔距離を図示しないメモリに記憶しておく（ステップ４２）。
【００２９】
このように許容離隔距離が設定された状態において、図４に示されるように、マウス装置１は、マウス装置１のＧＰＳ機能を利用して一定間隔毎にＧＰＳ衛星からの情報を受信して自己の位置を検出し（ステップ５０）、その位置情報をパソコン本体に送受信部１４を介して送信する（ステップ５２）。
また、マウス装置１は、強制ロックボタン１０４を押下した場合には、パソコン本体２に対してハードディスク３の駆動部３０に強制ロックをかける強制ロック指令信号を出力し（ステップ５４）、ロック解除ボタン１０５を押下した場合には、パソコン本体２に対してハードディスク３の駆動部３０の強制ロックを解除するロック解除指令信号を出力する（ステップ５６）。
【００３０】
これに対して、パソコン本体２においては、パソコン本体２のＧＰＳ機能を利用して一定間隔毎にＧＰＳ衛星からの情報を受信して自己の位置を検出し（ステップ６０）、また、マウス装置１から送信されたマウス装置１の位置情報を送受信部２３を介して受信する（ステップ６２）。
【００３１】
そして、マウスの位置情報を受信した後に、パソコン本体２は、ハードディスク３の強制ロック指令があるか否か、又は、ハードディスク３のロック状態の有無を示すフラグがハードディスク３のロック状態を示す“１”であるか否かを判定し（ステップ６４）、強制ロック指令がなく、また、ハードディスク３がロック状態でない（ＦＬＡＧが０である）場合には、マウス装置１の位置情報とパソコン本体２の位置情報とからマウス装置１とパソコン本体２との離隔距離を算出する（ステップ６６）。
【００３２】
その後、算出された離隔距離が予め設定された許容離隔距離以上に離れているか否かを判定し（ステップ６８）、マウス装置１とパソコン本体２とが許容離隔距離以上に離れていないと判定された場合には、ステップ６０以降の処理を繰り返してマウス装置１とパソコン本体２との離隔距離をモニタリングする。
【００３３】
これに対して、ステップ６８において、算出された離隔距離が許容離隔距離以上に離れていると判定された場合には、ハードディスク３のロック状態の有無を示すフラグをハードディスク３のロック状態を示す“１”に設定した上で（ステップ７０）、ハードディスク３の動作をロック状態にする（ステップ７２）。
【００３４】
このハードディスクの動作のロックは、図２（ｂ）で示される前述の構成においては、磁気ディスク３０２を回転させるスピンドルモータ３０１、又は、磁気ヘッド３０４を駆動させるステッピングモータ３０３を停止させることによって行う。
【００３５】
その後、マウス装置１のロック解除ボタン１０５が押下されてロック解除の指令があるか否かが判定され（ステップ７４）、ロック解除の指令がなければ、ステップ６０以降の処理を繰り返し、ロック解除の指令があれば、ハードディスク３のロック状態の有無を示すフラグをハードディスク３のロックの解除状態を示す“０”に設定した上で（ステップ７６）、ハードディスク３のロック状態を解除し（ステップ７８）、ステップ６０以降の処理を繰り返す。
【００３６】
尚、ステップ６４でフラグが既にハードディスク３のロック状態を示す“１”に設定されていると判定された場合には、再度、マウス装置１とパソコン本体２との離隔距離を演算することなく、ロック解除指令が出されるまでハードディスク３のロック状態を維持する（ステップ７０〜７４）。
【００３７】
また、マウス装置１の強制ロックボタン１０５が押下されて、ステップ６４で強制ロックの指令があると判定された場合には、マウス装置１とパソコン本体２との離隔距離に関係なく、ステップ７０へ進み、ハードディスク３のロック状態の有無を示すフラグをハードディスク３のロック状態を示す“１”に設定した上で、ハードディスク３をロック状態にする（ステップ７２）。
【００３８】
したがって、上述の構成によれば、パソコン本体２が盗難にあった場合において、マウス装置１との離隔距離が予め設定された許容離隔距離以上となった場合にハードディスク３の動作がロックされるので、ハードディスク内のデータの漏洩を防ぐことが可能となり、また、パソコン本体２をどこに設置した場合でも、同じ条件で情報漏洩を防ぐことが可能となり、パソコン本体の設置箇所によって盗難対策の設定を変える不都合がなくなる。
【００３９】
尚、利用者は、記憶メディアの動作をロックさせるための離隔距離を設定するだけで、情報漏洩の防止を図ることができるが、マウス装置１を使用せずにパソコン本体を持ち歩く場合などは、設定を無限大（∞ｍ）に設定しておくことで使用上の不都合はなくなる。
【００４０】
また、パソコン本体２とマウス装置１とが許容離隔距離以上に離れていない場合でも、パソコン本体２の所有者が盗難にあったことを気付いた場合には、マウス装置１の強制ロックボタン１０４を押下することで、マウス装置１とパソコン本体２との離間距離に拘わらず、ハードディスク３の動作をロックされることができるので、情報漏洩に対する対策をいち早く採ることが可能となり、データの漏洩を確実に防ぐことが可能となる。
【００４１】
さらに、一旦、ロックがかかったハードディスク３は、マウス装置１のロック解除ボタン１０５を押下することで解除されるので、盗難に遭ったパソコン本体２が回収された後にハードディスク内のデータを再び利用することが可能となる。
また、上述の構成においては、パソコン本体２の送受信部２３を介して、パソコン本体２の位置情報が発信されるので、パソコン本体２が盗難に遭った場合でも、パソコン本体２の場所を特定しやすいものとなる。
【００４２】
尚、上述の構成においては、ＧＰＳ機能を有する周辺機器としてマウス装置１を用いた場合を示したが、キーボード等の他の周辺機器にＧＰＳ機能を持たせて、同様の構成としてもよい。
また、記憶メディアとしてハードディスク３を用いた例を示したが、ＳＳＤ（Solid State Drive）等の他の記憶メディアに対しても、メディアにアクセスする信号を遮断する等の手段により記憶メディアの動作をロックするようにしてもよい。
さらに、上述の構成においては、マウス装置１とパソコン本体２との許容離隔距離をパソコン本体側で設定するようにしたが、マウス装置側で設定するようにし、パソコン本体側へ設定情報を送信するようにしてもよい。
【符号の説明】
【００４３】
１  マウス装置
２  パソコン本体
３  ハードディスク
１０４  強制ロックボタン
１０５  ロック解除ボタン
３０１  スピンドルモータ
３０３  ステッピングモータ
【図１】
2012053815.tif 000003
【図２】
2012053815.tif 000004
【図３】
2012053815.tif 000005
【図４】
2012053815.tif 000006